(57)【要約】      （修正有）【課題】先頭のタオレットの前縁を容易に引き出すことが出来るとともに、タオレットの前縁が蓋の閉鎖及び密封に緩衝するのを防止した蓋を有するタオレット分与器を提供する。【解決手段】シンブル３４は環状の開口１８の一縁の近くにオフセットされ、その結果、使用者は、蓋１０を容器から取り除くことなしに、環状の開口１８の後側にアクセスすることができ、これにより先頭のタオレットの縁をシンブル３４の穴に通すことができる。蓋用のキャップにはスタッファータブ５８が設けられ、このスタッファータブ５８は、キャップ１４が閉じられたときに、次のタオレットの前縁をウェル１８ａ内に追い立てる。【選択図】図１
2007276878.tif 000002
【特許請求の範囲】
【請求項１】
タオレット分与器において、
開放端を有すると共に、相互に接続されているがミシン目により互いに分離可能である多数のタオレットのバルク供給源を収容して維持している容器と、
前記開放端にわたって前記容器により受け止められている蓋と、
を包含し、前記蓋が、
中央穴を有するベース部分と、
前記中央穴を架橋して、前記中央穴を前方区域と後方区域とに分割する分離バーと、
前記分離バーにより担持され、前記タオレットの互いの分離を容易にする引裂きフェンスと、
前記蓋により受け止められ、前記中央穴を閉鎖して密封するキャップ部分と、
を包含しているタオレット分与器。
【請求項２】
請求項１記載のタオレット分与器において、前記引裂きフェンスが前記分離バーと一体に形成されていると共に前記分離バーに枢支して接続されているタオレット分与器。
【請求項３】
請求項２記載のタオレット分与器において、前記引裂きフェンスが複数のフレキシブルなフィンガーのシンブルを包含し、前記フィンガーが前記シンブルの中央軸線に向かって内向きに偏倚されているタオレット分与器。
【請求項４】
請求項３記載のタオレット分与器において、前記分離バーがこの分離バーを貫通している穴を有することを特徴とし、前記穴が前記シンブルを受け止めているタオレット分与器。
【請求項５】
請求項４記載のタオレット分与器において、前記シンブルが前記穴の中で前記分離バーにラッチ式で取り付けられているタオレット分与器。
【請求項６】
請求項３記載のタオレット分与器において、前記シンブルの前記中央軸線は、前記容器が水平の表面に置かれたときに、水平面から１５−３０度上向きに角度を付けられているタオレット分与器。
【請求項７】
請求項６記載のタオレット分与器において、前記中央穴の前記前方部分が前記中央穴の１５−３０％を占有すると共に、前記中央穴の前記後方部分が前記中央穴の８５−７０％を占有しているタオレット分与器。
【請求項８】
請求項３記載のタオレット分与器において、前記キャップ部分が前記ベース部分に枢支して接続されているタオレット分与器。
【請求項９】
請求項８記載のタオレット分与器において、前記キャップ部分がこのキャップ部分から延びているスタッファータブを有し、このスタッファータブは、前記キャップ部分が前記中央穴を閉鎖して密封しているときに、前記中央穴の前記前方部分に入るように位置決めされているタオレット分与器。
【請求項１０】
請求項９記載のタオレット分与器において、前記蓋の前記ベース部分と、前記分離バーと、前記引裂きフェンスと、前記キャップ部分とが一体に形成されているタオレット分与器。
【請求項１１】
タオレット分与器用蓋において、
中央穴を有するベース部分と、
前記中央穴を架橋して、前記中央穴を前方部分と後方部分とに分割する分離バーと、
前記分離バーにより担持され、前記中央穴の前記前方部分にわたって延びている複数のフレキシブルなグリッピングフィンガーのシンブルと、
前記蓋により担持され、前記中央穴を閉鎖して密封するキャップ部分と、
を包含しているタオレット分与器用蓋。
【請求項１２】
請求項１１記載のタオレット分与器用蓋において、前記シンブルが前記分離バーに枢支して接続されていると共に前記分離バーの穴の中に固定して受け止められているタオレット分与器用蓋。
【請求項１３】
請求項１２記載のタオレット分与器用蓋において、前記シンブルがラッチにより前記分離バーに取り付けられているタオレット分与器用蓋。
【請求項１４】
請求項１２記載のタオレット分与器用蓋において、前記シンブルが前記ベース部分に関して１５−３０度の角度で上向きに角度を付けられているタオレット分与器用蓋。
【請求項１５】
請求項１４記載のタオレット分与器用蓋において、前記中央穴の前記前方部分が前記中央穴の１５−３０％を占有すると共に、前記中央穴の前記後方部分が前記中央穴の７０−８５％を占有しているタオレット分与器用蓋。
【請求項１６】
請求項１５記載のタオレット分与器用蓋において、前記キャップ部分がこのキャップ部分から延びているスタッファー部材を有し、このスタッファー部材は、前記キャップ部分が前記中央穴を閉鎖して密封しているときに、前記中央穴の前記前方部分に入るように位置決めされているタオレット分与器用蓋。
【請求項１７】
請求項１６記載のタオレット分与器用蓋において、前記シキャップ部分が前記ベース部分に枢支して接続されているタオレット分与器用蓋。
【請求項１８】
請求項１７記載のタオレット分与器用蓋において、前記ベース部分と、前記分離バーと、前記シンブルと、前記キャップ部分とが一体に形成されているタオレット分与器用蓋。
【請求項１９】
容器とバリヤキャップとの組合せ構体において、
開放端を有する容器と、
前記開放端にわたって前記容器により受け止められている蓋であって、前記容器の前記開放端の半径方向の内側に位置して設けられている周縁により画定されている中央穴を有する蓋と、
バリヤキャップであって、その周縁で前記容器の前記開放端に近接して取り付けられているバリヤキャップと、
を包含し、前記バリヤキャップが、
前記バリヤキャップの前記周縁の内側に位置して設けられている引裂き境界線と、
この引裂き境界線のところで前記バリヤキャップに取除き可能に取り付けられている取除き可能なアクセス部材と、
を包含している組合せ構体。
【請求項２０】
請求項１９記載の組合せ構体において、前記バリヤキャップが、更に、前記周縁を形成すると共に前記周縁から隆起縁にまで延びている、実質的に固定した部分を包含している組合せ構体。
【請求項２１】
請求項２０記載の組合せ構体において、前記容器が円形の断面を有すると共に、前記実質的に固定した部分が環状である組合せ構体。
【請求項２２】
請求項２０記載の組合せ構体において、前記引裂き境界線が前記隆起縁のところに画定されている組合せ構体。
【請求項２３】
請求項２０記載の組合せ構体において、前記隆起縁が前記バリヤキャップの平らな部分を画定し、また前記引裂き境界線が前記隆起縁の内側に位置して設けられて前記平らな部分の中に位置している組合せ構体。
【請求項２４】
請求項１９記載の組合せ構体において、前記引裂き境界線の一部分が前記蓋の前記中央穴の前記周縁と実質的に整列させられている組合せ構体。
【請求項２５】
請求項２４記載の組合せ構体において、前記引裂き境界線が前記蓋の前記中央穴の前記周縁により画定されている区域の中に位置している組合せ構体。
【発明の詳細な説明】
【関連出願】
【０００１】
本出願がパリ条約による優先権を主張する米国特許出願番号１１／７０１，１１４（出願日２００７年２月１日）は、同じくパリ条約による優先権を主張する米国特許出願番号１１／３６３，８２２（出願日２００６年２月２８日）の一部継続出願である。
【技術分野】
【０００２】
本発明は、分与装置、より詳細には、多数の相互に接続されたタオレット又は“ワイプ”を維持し、その分離分与を可能にするようにしている装置の技術分野に属する。更により詳細には、本発明は新規な一体構造の分与蓋及びキャップに関し、このような一体構造の分与蓋及びキャップは先頭のタオレットを分離機構の穴に通すことを容易にすることを可能にし、またキャップをタオレット容器に取り付けて閉鎖することを可能にする。
【背景技術】
【０００３】
種々の産業においてまた毎日の生活において、タオレット又は“ワイプ”を使用することがますます普及している。典型的には、タオレット又はワイプは、例えば消毒剤、洗浄剤、溶剤、ワックス又はポリシのようなクレンザー又はトリートメントをしみ込ませた材料の繊維状片である。ずっと前はこのようなタオレットは容器の中にファンホールドの配置で、すなわち、これらのタオレットが互いに分離されて独立している状態で維持されていたけれども、現在用いられている最も一般的で有用なタイプは、多数のタオレットが連続するウェブを形成し、ミシン目又は同種の手段により互いに分離可能であるタオレットである。本発明はタオレットのランダムな多量の貯蔵及び保管を企図するけれども、典型的には、多数のタオレットは連続するロールの形に維持されている。このような構造においては、タオレットを維持する容器には、一般的には、引裂きフェンス又は他の分離機構を有する蓋が設けられ、これによりロール又は一群内の残存するタオレットから先頭のタオレットを分離することを可能にする。
【０００４】
幾つかの問題が従来技術の装置に生じている。最も難敵な問題は、先頭のタオレットの前縁を引裂きフェンスの穴に通す機構にあり、ウェブの残りのタオレットがこの機構を通して徐々に引張られ、タオレットが個々に分離されてしまう。従来技術の装置は、典型的に、蓋をタオレットの容器から取り除くこと、先頭のタオレットを引裂きフェンスの穴に通すこと、及び蓋を容器上に戻すことを要求している。このような方法は、典型的に、複雑であり、使用者に過ちを生じさせ、失敗させることがわかっている。また、従来技術のタオレット分与器は設計を容易にするものではなく、蓋又はキャップが閉じられて密封されたときに、分与しようとする次のタオレットの前縁が容器内に詰められて蓋又はキャップのじゃまにならないことを保証する機構を必要とする。従来技術の分与器は、更に、複雑でコストの高い分与蓋を持たなければならず、このような分与蓋はしばしば多数のピースから形成され、これらのピースはこれらのピースをひとつの作動ユニットに構成するためにシーム溶接又は同種の方法を必要とする。これは、当分野の利益のために改善することが必要である。
【０００５】
更に、一般的な分与蓋は、しばしば、シール又はバリヤキャップの上にわたって取り付けられ、このバリヤキャップは、最初の使用前における輸送及び初期の保管の間中に、タオレットにしみ込まされている溶液が蒸発するのを防止する。このような蓋は、バリヤキャップにアクセスしてバリヤキャップを取り除くために取り除かなければならない。したがって、蓋と容器との間の接続は、蓋を容器上に保持するのに十分であるように強くなければいけないが、しかし蓋を容器から取り除くのを可能にするのに十分であるように弱くなければならない。これは、その結果として、クレンザー又は他のトリートメントが蒸発して蓋と容器との間の接続部を通して容器を出てしまい、タオレット容器の実際の保管期間長さを減少せしめるような蓋の容器への接続を作ってしまう。また、バリヤキャップを取り除くために蓋を取り除かなければならないことは、タオレットを使用することを始めるために要求される追加のステップであり、また蓋及びバリヤキャップが取り除かれ、蓋が再び取り付けられて閉じられる前の時間の間中容器が開かれてタオレットが蒸発にさらされることを生じせしめる。
【０００６】
以上述べたことから、当分野においては、簡単、低コスト及び信頼性があるタオレット分与器用蓋であって、容易な使用及び容易なセットアップを可能にするタオレット分与器用蓋が必要である。また、最初の使用前における輸送及び初期の保管の間中における良好な密封方法も必要である。
【発明の開示】
【発明が解決しようとする課題】
【０００７】
前述のことに照らして、本発明の目的は全体を一体成形した設計の蓋を有するタオレット分与器を提供することにある。
【０００８】
本発明の他の目的は、分与しようとする先頭のタオレットの前縁をシンブルのような形状にした引裂きフェンスの穴に通すのを容易にすることができる蓋を有するタオレット分与器を提供することにある。
【０００９】
本発明の更に他の目的は、キャップを備えている蓋であって、キャップが分与しようとする次のタオレットの前縁を容器の中に押し込む又は詰め込むような形状とされ、これによりこのタオレットの前縁が蓋の閉鎖及び密封に干渉するのを防止するようにした蓋を有するタオレット分与器を提供することにある。
【００１０】
本発明の更に他の目的は、簡単な設計であってコストを相当に減少せしめ、かつ使用の容易さを相当に増大せしめるタオレット分与器を提供することにある。
【００１１】
本発明の更に他の目的は、最初の使用前における輸送及び保管の間中にタオレット分与器を密封する、改良したバリヤキャップを提供することにある。
【課題を解決するための手段】
【００１２】
本発明の以上述べた目的は、次に述べるようなタオレット分与器とバリヤキャップとの組合せ構体により達成される。この組合せ構体は、開放端を有すると共にタオレットのバルク供給源を収容して維持している容器を包含する。そして、蓋が容器の開放端により受け止められている。この蓋は、容器の開放端から半径方向の内側に位置して設けられている周縁により画定されている中央穴を有するベース部分を包含する。バリヤキャップは、その周縁で容器の開放端に取り付けられている。このバリヤキャップは、その周縁の内側に位置して設けられている引裂き境界線と、この引裂き境界線のところでバリヤキャップに取除き可能に取り付けられている取除き可能なアクセス部材とを包含する。
【００１３】
引裂き境界線は、好適には、蓋の周縁により画定されている中央穴と実質的に整列し、これにより、バリヤキャップにアクセスするために蓋を取り除く必要なしに、取除き可能なアクセス部材に中央穴を通してアクセスすることができる。
【発明を実施するための最良の形態】
【００１４】
本発明の種々の態様、構造及び作用を完全に理解するために、下記の詳細な説明及び添付図面が次に参照される。
【００１５】
図面を参照するに、本発明にしたがって作った分与蓋が符号１０により総括的に示されていることを見ることができる。本明細書において認識されるように、分与蓋１０の利点は適当なプラスチック又は弾性材料の単一のピースとしてモールド成形することができることにある。分与蓋１０は、ベース部分１２とキャップ部分１４とを包含する。
【００１６】
ベース部分１２は、中央穴１８を有する頂部の環状の平らな表面１６を包含することを特徴とする。ベース部分１２の頂部外周のまわりには大きくくぼんだ区域２０が形成され、この大きくくぼんだ区域は分与蓋１０を後述する方法で開くために使用者の指と適合するように形成されている。また、ベース部分１０の外周区域に小さくくぼんだ区域２２が形成されていることも特徴であり、この小さくくぼんだ区域は、後で明らかになる方法で、キャップ１４が中央穴１８上に閉じられたときにキャップ部分１４の一部分と適合するように形成されている。単一又は複数のリブ２４が、頂部の環状の平らな表面１６の外周まわりでこの平らな表面から上向きに延びている。この又はこれらのリブ２４は、当業者には容易に認識されるような方法で、分与しようとするタオレットの他の容器の受け止め、すなわち積み重ねに適応するために用いられる。
【００１７】
ベース部分１２は分離バー２６を包含し、この分離バーは中央穴１８の内周縁２８に接続されて、この内周縁から内向きに延びている。分離バー２６は一対のレッグ３０を包含し、これらのレッグは中央支持板３２にまで実質的に半径方向内向きに延びている。分離バー２６は、中央穴１８を小さな前方部分１８ａとかなり大きな後方部分１８ｂとに分割するように位置決めされている。中央穴１８のこれらの異なった特別の大きさとした部分の目的及び利点は、本明細書において明らかになるだろう。
【００１８】
中央支持板３２は、実質的に円錐形のシンブル３４の形の引裂きフェンスを担持する。シンブル３４は、フレキシブル又は“リビング”ヒンジ３６により中央支持板３２に接続されている。図１に最もよく示されているように、中央支持板３２にはこの中央支持板を貫通している穴３８があり、この穴がその直径的に対向する両側部にスロット又はノッチ４０を有していることを特徴とする。これらのスロット又はノッチ４０は、シンブル３４の一体部分であるタブ、ランチ又は同種物４２を受け入れるように工夫されている。したがって、シンブル３４がヒンジ３６のまわりに回転させられて中央支持板３２の穴３８を通過するときに、タブ又はラッチ４２はスロット又はノッチ４０に係合し、これによりシンブル３４を図２に最も良く示されている位置に確実に維持せしめる。
【００１９】
シンブル３４は複数のフィンガー４４を包含し、これらのフィンガーが円錐形のシンブル３４の貫通スロットにより画定されていることを特徴とする。図示されているように、４つ又はそれ以上のフィンガー４４が望まれる。これらのフィンガー４４は、プラスチックで作られているので、シンブル３４の円錐形の性質により内向きに偏倚されているが、しかし使用中必要に応じて外向きにたわむことができる。
【００２０】
図１に示されているように、ベース部分１２はリップ５０により分離されている２つの周フランジ４６，４８を包含することを特徴とする。周フランジ４６は、その頂部縁で頂部の環状の平らな表面１６に半曲がりされている。周リップ５０は、周フランジ４８から下向きにかつこの周フランジ４８に対して垂直に延びている。
【００２１】
図１を連続して参照するに、キャップ部分１４が一体のヒンジ、ウェブ又は部材５２の手段によりベース部分１２に取り付けられていることを見ることができる。首部分５４がヒンジ５２から延びており、この首部分はキャップ部分１４の実質的に円形の部分に一体に接続されている。環状のリング５６がキャップ部分１４から延びている。このリングは、蓋１４が閉じることを望まれてヒンジ５２のまわりに枢動されたときに、中央穴１８の周縁２８により密封して受け入れるような大きさ及び形状とされている。
【００２２】
スタッファータブ又は部材５８が、キャップ部分１４がベース部分１２上に閉じられたときに、中央穴１８の前方部分１８ａにより受け入れられるような位置であるようにキャップ部分１４から延びている。リフトタブ６０がキャップ部分１４の周縁から延びており、このリフトタブは蓋の閉鎖により大きくくぼんだ区域２０により受け入れられるように工夫されている。大きくくぼんだ区域２０は使用者が自分の指先をこの大きくくぼんだ区域２０の下におくことを可能にし、これによりタブ６０をつかんで持ち上げることができる。最後に、小さくくぼんだ区域２２は蓋の閉鎖により首部分５４を受け入れるような位置及び形状とされていることを認識されよう。
【００２３】
図２に示されているように、分与蓋１０を用いるワイプ又はタオレット分与器は符号７０により総括的に示されている。容器７２は分与蓋１０のベース部分１２を受け入れ、リップ５０が容器７２の頂部の外側リムを通過し、周フランジ４８の下側部がその上に載る。
【００２４】
容器７２は複数枚のタオレット７４で充填されており、これらのタオレットは典型的にはロールの形で維持されているが、しかし、また、容器内にバルクの形で簡単にランダムに置くこともできる。いずれにしても、本発明は、特に、相互に接続されている複数枚のタオレットの単一のウェブから成るタオレットと一緒に使用可能であり、相互に接続されている複数枚のタオレットはそれらの間をミシン目により画定され、これらのミシン目はタオレットの分離を容易にするために設けられている。
【００２５】
本発明の概念によれば、中央穴１８の後方部分１８ｂは容器７２に維持されているタオレット７４のバルクの先頭のタオレットに使用者の手が届くのに十分である大きさとされている。タオレットがロールの形で維持されているときには、先頭のタオレットはロールの中央部から来る。分与しようとするこの先頭のタオレットの前縁は、それから、シンブル３４のフィンガー４４の穴を通すことができる。これらのフィンガー４４は、分与されるタオレットをグリップするような大きさ及び形状とされている。このグリップは、先頭のタオレットがフィンガーにより画定した穴を通して引っぱられたときに、タオレットのドラグがタオレットを接続しているミシン目での分離のために要求される力よりも大きくなるようにするのに十分である。使用において、ミシン目の区域がシンブル３４を通過するときに、ミシン目は次のタオレットの前縁がシンブル３４のフィンガーから現れるように分離することを始め、これにより、この次のタオレットの前縁の約２．５４ｃｍ（１インチ）ぐらいがシンブル３４を通過したときに先頭のタオレットの完全な分離が行われる。したがって、次に分与しようとするタオレットの前縁は使用者のアクセス準備のために露出される。
【００２６】
次のタオレットの前縁がベース部分１２の中央穴１８上におけるキャップ部分１４に密封に干渋しないことを保証するために、キャップ部分１４にはスタファータブ５８が設けられており、このスタッファータブ５８はキャップ部分１４の閉鎖により中央穴１８ａにより受け入れられるような位置とされている。このスタッファータブ５８は、キャップ部分１４とベース部分１２との間の密封係合から離れて、タオレットの前縁を中央穴１８の前方部分１８ａのウェル内に押す。
【００２７】
図面から明らかであるように、中央支持板３２は頂部の環状の平らな表面１６に関して角度をつけられている。この角度は幾つかの重要な理由による。最初に、幾らか垂直にすることにより、もしシンブル３４が実質的に垂直である場合よりも使用者が先頭のタオレットの前縁を手でつかんでシンブル３４の穴を通すのを非常に容易にする。したがって、分与蓋１０を容器７２から取り外すことなしに、タオルウェブの穴通しを容易に行うことが達成される。
【００２８】
追加的に、シンブル３４の角度はシンブルを通してタオレットを引き出すのを容易にすることを可能にし、また、もしタオレットの分離が満足して進んでいることが明らかでない場合には、ミシン目がシンブルを通過するや否やタオレットに上向き引張り動きを与える。この上向き引張りは、次のタオレットへの歯又はフィンガー４４の少なくとも一定の有効力を増大せしめ、また、次のタオレットのシンブル３４を通しての更なる延びなしに、ミシン目における一層大きな分離力を可能にする。
【００２９】
本発明の概念は種々の大きさの容器及び蓋に適応可能であるけれども、蓋１０が典型的には１５．２４ｃｍ（６インチ）程度の直径を有し、中央穴１８が１０．１６ｃｍ（４インチ）程度の直径を有することを企図している。しかしながら、この大きさは当業者には明らかであるように疑いなく変えることができる。いずれにしても、分離バー２６は、中央穴１８の前方部分１８ａが中央穴１８の全体の１５−３０％であり、好適には使用者の指に適合するような大きさとされている、残りの後方部分１８ｂが中央穴１８の全体の７０−８５％程度であるように、位置させられることが望ましい。
【００３０】
同様に、当分野では一般的であるような、水平面に対して平行なベースを有する以外は、好適には水平面に関して角度をつけられているシンブル３４は水平面、すなわち頂部の環状の平らな表面１６に関して１５−３０°の角度を上向きに付けられていることを認識されるであろう。上述したように、これはタオレットの穴通しと及びタオレットの分離との両方に適応する。
【００３１】
タオレットにクレンザー又は他のトリートメントがしみ込まされているときには、内部にこれらのタオレットが収容されている容器の頂部を密封することは普通のことである。本発明においては、特別のバリヤキャップが設けられ、このバリヤキャップは上述した型式の分与蓋１０に特別に適応されている。この特別のバリヤキャップの簡単な形状が図３に示され、バリヤキャップは符号８０により示されている。このバリヤキャップ８０はその周縁８４で容器７２に密封され、この周縁は容器７２の開放端の周縁７５（図４参照）と組み合わされる。引裂き境界線８６が周縁８４の内側に位置して設けられ、好適には分与蓋１０がバリヤキャップ８０及び容器７２の上に置かれたときに、分与蓋１０の中央穴１８の内周縁２８の位置に非常に接近するように周縁８４の内側に位置して設けられ、又は一層好適には内周縁２８の位置の内側に位置して設けられている。
【００３２】
取除き可能なアクセス部材８８が、引裂き境界線８６のところでバリヤキャップ８０に取り付けられている。製作及び輸送時には、この取除き可能なアクセス部材８８は引裂き境界線８６のところで密封されており、その結果、アクセス部材８８は、周縁８４，７５間の密封と一緒に、密封した容器７２の内部を維持し、これにより容器７２内のタオレットにしみ込まされている及び／又は容器７２内に存在するクレンザー又は他のトリートメントが蒸発するのを防止して、これらのクレンザー又は他のトリートメントが漏れるのを防止する。取除き可能なアクセス部材８８は、選択的に取り除かれ、これにより使用者がタオレットにアクセスできるようにする。図３に示されている実施例においては、プルリング９０が設けられている。このプルリング９０は、引張られると、取除き可能なアクセス部材８８が引裂き境界線８６のところで環状部分８２から引き離される。プルリング９０は、好適には、取除き可能なアクセス部材８８と一体に形成され、これによりプルリング９０とアクセス部材８８とはアクセス部材８８が取り除かれた後でも互いに結合したままである。
【００３３】
図４に示されている他の実施例においては、バリヤキャップ１８０が周縁１８４から延びている環状部分１８２を包含し、この環状部分は容器７２の側壁７８の内面７６に圧入されて密封している。周縁１８４は、また、内面７６に接着することができ、又は他の方法で取り付けることができる。環状部分１８２は、平らにして所望する機能を果たすことができるけれども、好適には、最初に周縁１８４から小さい半径距離にわたって下向きに曲げられて傾斜させられ、それからバリヤキャップ１８０の隆起縁１８７にまで上向きに曲げられて傾斜させられる。この実施例においては、引裂き境界線１８６が隆起縁１８７のところにバリヤキャップ１８０の弱くした部分として設けられ、このバリヤキャップの弱くした部分は容器７２に取り付けられている環状部分１８２から容易に分離される。周縁１８４から半径方向に延びている、好適な下向き傾斜面は、バリヤキャップ１８０を容器７２の側壁７８に圧入により取り付けるのを助ける。より詳細には、側壁７８は大きな開口から小さいベース部にまでテーパし、大きい開口はバリヤキャップ１８０を容器７２の内部に入れることを可能にし、これは周縁１８４と側壁７８の内面７６との間の接触が始まってバリヤキャップ１８０の挿入を妨げるまで行われる。下向き方向の追加の圧力は、バリヤキャップ１８０を側壁７８に十分に密封せしめ、特にもし側壁が例えばプラスチック材料のような弾性材料で作られている場合には、圧力を及ぼして周縁１８４に対してスキージング力を及ぼす。環状部分１８２の好適な傾斜面は、また、分与蓋１０がバリヤキャプ１８０の上に置かれたときに、切裂き境界線１８６を分与蓋１０の中央穴１８の内周縁２８に接近して位置させることを有益に行わせることができる。この構造の利点は、後で一層詳細に述べられたときに明らかになるであろう。
【００３４】
バリヤキャップ１８０が容器７２に取り付けられ、それから分与蓋１０が容器７２に取り付けられると、図５に示されるように、バリヤキャップ１８０の環状部分１８２の大きさはプルリング１９０を分与蓋１０の中央穴１８の内周縁２８の半径寸法に接近して、好適には内周縁２８の半径寸法内に置く。環状部分１８２の傾斜面も、また、プルリング１９０を分与蓋１０の中央穴１８に接近して置く。この方法によれば、分与蓋１０の取除きを要求することなしに、プルリング１９０は簡単につかまえられ、取除き可能なアクセス部材１８８は中央穴１８の大きな後方部分１８ｂを通して取り除かれる。取除き可能なアクセス部材１８８が取り除かれると、タオレット分与器は実質的に図２に示されると同じように現れ、上述したようにタオレットのロールにアクセスすることができる。
【００３５】
最後に、図６を参照するに、有用なバリヤキャップの更に他の実施例が示されている。このバリヤキャップ２８０は、図４の実施例と実質的に同じように、周縁２８４から隆起縁２８７まで傾斜している環状部分２８２を包含するが、しかし、この隆起縁２８７は平たん部分２８９を画定し、引裂き境界線２８６がこの平たん部分２８９により画定されている区域の中に設けられている。環状部分２８２と平たん部分２８９とは、一体であり、これらの組合い境界部には強い移行部を形成し、平たん部分２８９よりも小さい取除き可能なアクセス部材２８８を画定する引裂き境界線２８６のところに弱くした部分が設けられている。上述した他の実施例と同じように、引裂き境界線２８６は、好適には、バリヤキャップ２８０の弱くした部分として設けられ、このバリヤキャップの弱くした部分は、取除き可能なアクセス部材２８８と一体に形成されているプルリング２９０を引張ることにより、平たん部分２８９の残りの部分から簡単に分離される。この特別の実施例は、分与蓋１０の中央穴１８の大きな後方部分１８ｂと整列するような大きさとされている取除き可能なアクセス部材２８８を提供すること焦点としている。
【００３６】
プルリング及び引裂き境界線が取除き可能なアクセス部材を形成するために述べられたけれども、取除き可能なアクセス部材を提供するこれらの構造及び手段は好適な例に過ぎないことを認識されよう。当分野において知られているように、一層一般的なフォイル部材を引裂き境界線にヒートシールすることができ、又はフィルム部材を引裂き境界線にシールすることができる。このようなフォイル又はフィルム部材は、上述したプルリングと同じ目的のために、フォイル又はフィルム部材から延びているタブ又はプルリングを包含する。
【００３７】
バリヤキャップは、好適には、熱可塑性又は他の適当なポリマー／プラスチック材料から作られる。実際に、適当な材料は当分野において知られており、本発明の焦点ではない。バリヤキャプを容器に対して密封する一定の概念が述べられたけれども、本発明はこのような概念に又はこのような概念によって必ずしも限定されるものでないことを理解されよう。一般的に知られている任意の技術を、バリヤキャップを容器に対して密封するために用いることができる。また、容器は、容器の上方周縁又は側壁の内面に密封されているのではなくて容器と一体に形成されている、バリヤキャップの非取除き部分と一緒に形成することができる。
【００３８】
以上述べた説明から、本発明の種々の態様が上述した構造により提供されたことがわかったであろう。特許法にしたがって本発明の最良の好適な実施例についてのみ詳細に述べたけれども、本発明はこのような実施例に又はこのような実施例により限定されるものではなく、特許請求の範囲の記載により限定されるものである。
【図面の簡単な説明】
【００３９】
【図１】本発明にしたがって作った分与蓋の斜視図である。
【図２】図１の分与蓋を使用するタオレット容器の斜視図である。
【図３】本発明にしたがってタオレット容器を閉鎖するための基本的なバリヤキャップの概略斜視図である。
【図４】タオレット容器に取り付けられたバリヤキャップの他の実施例の組立図であり、分与蓋は取り外しされている。
【図５】図４のタオレット容器、バリヤキャップ及び分与蓋の組立図である。
【図６】本発明によるバリヤキャップの更に他の実施例の概略斜視図である。
【図１】
2007276878.tif 000003
【図２】
2007276878.tif 000004
【図３】
2007276878.tif 000005
【図４】
2007276878.tif 000006
【図５】
2007276878.tif 000007
【図６】
2007276878.tif 000008
【外国語明細書】
2007276878.tif 000009
2007276878.tif 000010
2007276878.tif 000011
2007276878.tif 000012
2007276878.tif 000013
2007276878.tif 000014
2007276878.tif 000015
2007276878.tif 000016
2007276878.tif 000017
2007276878.tif 000018
2007276878.tif 000019
2007276878.tif 000020
2007276878.tif 000021
2007276878.tif 000022
2007276878.tif 000023
2007276878.tif 000024
2007276878.tif 000025
2007276878.tif 000026
2007276878.tif 000027
2007276878.tif 000028